(57)【要約】【課題】作業用デッキの上下方向の作業範囲を広げて、効率良く作業を行うことができる移動昇降式足場を提供する。【解決手段】ガイドマスト２０と、ガイドマスト２０に着脱されて装着状態で昇降移動する駆動部３０と、駆動部３０に水平状態で設置される作業用デッキ４０とを有する移動昇降式足場１０であって、２つのガイドマスト２０にそれぞれ駆動部３０が装着されており、２つの駆動部３０同士に掛け渡されるように作業用デッキ４０が設置されており、作業用デッキ４０上の２つのガイドマスト２０それぞれに着脱されて装着状態で作業用デッキ４０と共に昇降移動する補助部５０が装着されており、２つの補助部５０同士が略水平方向に繋合せ部６０で繋げられており、繋合せ部６０に対して足場部７０が設けられていることで、作業用デッキ４０の上方に、作業用デッキ４０と共に昇降移動する足場部７０を有している。【選択図】図１
2020033791.tif 000002
【特許請求の範囲】
【請求項１】
ガイドマストと、該ガイドマストに着脱されて装着状態で昇降移動する駆動部と、該駆動部に水平状態で設置される作業用デッキとを有する移動昇降式足場であって、
２つの前記ガイドマストにそれぞれ前記駆動部が装着されており、
２つの前記駆動部同士に掛け渡されるように前記作業用デッキが設置されており、
前記作業用デッキ上の２つの前記ガイドマストそれぞれに着脱されて装着状態で前記作業用デッキと共に昇降移動する補助部が装着されており、
２つの前記補助部同士が略水平方向に繋合せ部で繋げられており、
前記繋合せ部に対して足場部が設けられていることで、
前記作業用デッキの上方に、該作業用デッキと共に昇降移動する前記足場部を有していることを特徴とする移動昇降式足場。
【請求項２】
前記補助部上の２つの前記ガイドマストそれぞれに着脱されて装着状態で前記作業用デッキと共に昇降移動する前記補助部がさらに１段又は複数段装着されており、
同じ段の前記補助部同士が略水平方向に前記繋合せ部で繋げられており、
前記繋合せ部に対して前記足場部が設けられていることで、
前記作業用デッキの上方に、該作業用デッキと共に昇降移動する前記足場部を複数段有していることを特徴とする請求項１に記載の移動昇降式足場。
【請求項３】
前記足場部の荷重が前記補助部に掛かるように設けられており、
前記保持部の荷重が前記ガイドマストに掛かるように設けられていることを特徴とする請求項１又は２に記載の移動昇降式足場。
【請求項４】
前記繋合せ部は、両端に繋がっている前記補助部同士の上下位置の差を調整して繋ぎ合わせ状態を維持する調整機構を有していることを特徴とする請求項１乃至３の何れか一項に記載の移動昇降式足場。
【発明の詳細な説明】
【技術分野】
【０００１】
この発明は、構造物の施工や補修、解体等に用いる移動昇降式足場に関するものである。
【背景技術】
【０００２】
従来、例えば倉庫やビル、煙突等の所定の高さを有する構造物の外壁を施工したり、既存の外壁の補修を行ったり、構造物を解体したりする場合に、作業を行う外壁に沿うように足場を設置し、その足場を用いて作業することが行われている。また特に、新築工事における型枠作業や、改修工事における塗装作業、ケレン作業の養生設備や、解体工事におけるはつり作業等においては、それぞれ、上下方向に数メートルの長さを有する足場設備が必要となるため、足場を上下方向に複数段設置して対応する場合があった。
【０００３】
また、このような足場の中には、ガイドマストに沿って作業用デッキが上下動する移動昇降式足場（例えば、特許文献１参照）があり、この移動昇降式足場を用いて作業を行うことも考えられている。
【先行技術文献】
【特許文献】
【０００４】
【特許文献１】特許第５２９９９８２号公報
【発明の概要】
【発明が解決しようとする課題】
【０００５】
しかしながら、前記した特許文献１のような従来の移動昇降式足場では、停止した状態における作業用デッキでの上下方向の作業範囲が狭いため、頻繁に移動昇降式足場を上下方向に移動させて作業を行う必要があり、さらに効率の良い作業方法が求められていた。
【０００６】
特に、高層建物での作業となれば、上下方向の作業範囲が狭い中で、何回も移動昇降式足場を移動させたり固定させたりする必要があり、運搬費、資材費、労務費、工数（工期）などが嵩むため、改善が求められていた。
【０００７】
また、前記した新築工事における型枠作業、改修工事における塗装作業やケレン作業の養生設備、解体工事におけるはつり作業等においては、上下方向に所定の長さを有する足場が必要であるため、従来の移動昇降式足場では対応できない場合もあった。
【０００８】
そこで、この発明は、作業用デッキの上下方向の作業範囲を広げて、効率良く作業を行うことができる移動昇降式足場を提供することを課題としている。
【課題を解決するための手段】
【０００９】
かかる課題を達成するために、請求項１に記載の発明は、ガイドマストと、該ガイドマストに着脱されて装着状態で昇降移動する駆動部と、該駆動部に水平状態で設置される作業用デッキとを有する移動昇降式足場であって、２つの前記ガイドマストにそれぞれ前記駆動部が装着されており、２つの前記駆動部同士に掛け渡されるように前記作業用デッキが設置されており、前記作業用デッキ上の２つの前記ガイドマストそれぞれに着脱されて装着状態で前記作業用デッキと共に昇降移動する補助部が装着されており、２つの前記補助部同士が略水平方向に繋合せ部で繋げられており、前記繋合せ部に対して足場部が設けられていることで、前記作業用デッキの上方に、該作業用デッキと共に昇降移動する前記足場部を有している移動昇降式足場としたことを特徴とする。
【００１０】
また、請求項２に記載の発明は、請求項１に記載の構成に加え、前記補助部上の２つの前記ガイドマストそれぞれに着脱されて装着状態で前記作業用デッキと共に昇降移動する前記補助部がさらに１段又は複数段装着されており、同じ段の前記補助部同士が略水平方向に前記繋合せ部で繋げられており、前記繋合せ部に対して前記足場部が設けられていることで、前記作業用デッキの上方に、該作業用デッキと共に昇降移動する前記足場部を複数段有している移動昇降式足場としたことを特徴とする。
【００１１】
また、請求項３に記載の発明は、請求項１又は２に記載の構成に加え、前記足場部の荷重が前記補助部に掛かるように設けられており、前記補助部の荷重が前記ガイドマストに掛かるように設けられている移動昇降式足場としたことを特徴とする。
【００１２】
また、請求項４に記載の発明は、請求項１乃至３の何れか一項に記載の構成に加え、前記繋合せ部は、両端に繋がっている前記補助部同士の上下位置の差を調整して繋ぎ合わせ状態を維持する調整機構を有している移動昇降式足場としたことを特徴する。
【発明の効果】
【００１３】
請求項１に記載の発明によれば、作業用デッキの上方に作業用デッキと共に昇降移動するように構成された足場部を有していることで、停止した状態における上下方向の作業範囲として、作業用デッキにその上方の足場部を加えることができ、上下方向の作業範囲を増加させることができる。そのため、移動昇降式足場を頻繁に上下方向に移動させる必要がなくなり、また、作業範囲を増加させることで移動昇降式足場に搭乗する作業員数を多くすることができるため、１つの移動昇降式足場での作業効率を向上させることができる。
【００１４】
また、請求項２に記載の発明によれば、作業用デッキの上方に作業用デッキと共に昇降移動するように構成された足場部を複数段有していることで、上下方向の作業範囲をより増加させることができる。そのため、より移動昇降式足場を頻繁に上下方向に移動させる必要がなくなり、また、作業範囲をより増加させることで移動昇降式足場に搭乗する作業員数をより多くすることができるため、１つの移動昇降式足場での作業効率をさらに向上させることができる。
【００１５】
また、請求項３に記載の発明によれば、足場部の荷重を補助部で支え、補助部の荷重をガイドマストで支えるように構成されているため、足場部の荷重を構造物で支えるようなものと比べて、作業を行ったり移動したりするときに構造物に対して固定したり取り外したりする箇所が少なくする又はゼロにすることができ、移動昇降式足場を移動させた後の設置作業と、作業後に再度移動させる際の取外し作業をより効率良く行うことができる。
【００１６】
また、請求項４に記載の発明によれば、繋合せ部がその両端に繋がっている補助部同士の上下位置の差を調整して繋ぎ合わせ状態を維持する調整機構を有していることで、２つの補助部同士の上下方向の位置の誤差を吸収して足場部の状態を維持することができ、作業を支障なく行えるようにすることができる。
【図面の簡単な説明】
【００１７】
【図１】この発明の実施の形態に係る移動昇降式足場の使用例を示す正面図である。
【図２】同実施の形態に係る移動昇降式足場の使用例を示す断面図である。
【図３】同実施の形態に係る移動昇降式足場を示す斜視図である。
【図４】同実施の形態に係る移動昇降式足場を他の角度から見た斜視図である。
【図５】同実施の形態に係る移動昇降式足場の補助部を示す単品斜視図である。
【図６】同実施の形態に係る移動昇降式足場の補助部を他の角度から見た単品斜視図である。
【図７】同実施の形態に係る移動昇降式足場の補助部の一部を示す単品平面図である。
【図８】同実施の形態に係る移動昇降式足場の補助部の一部を示す単品正面図である。
【図９】同実施の形態に係る移動昇降式足場の補助部の一部を示す単品側面図である。
【図１０】同実施の形態に係る移動昇降式足場の補助部とマストの係合状態を示す斜視図である。
【図１１】同実施の形態に係る移動昇降式足場の補助部とマストの係合状態を他の角度から見た斜視図である。
【図１２】同実施の形態に係る移動昇降式足場の補助部とマストの係合状態をさらに他の角度からみた斜視図である。
【図１３】同実施の形態に係る移動昇降式足場の補助部とマストの係合状態をまたさらに他の角度からみた斜視図である。
【図１４】同実施の形態に係る移動昇降式足場の補助部とマストの係合状態を示す正面図である。
【図１５】同実施の形態に係る移動昇降式足場の補助部とマストの係合状態を示す平面図である。
【図１６】同実施の形態に係る移動昇降式足場の補助部とマストの係合状態を示す側面図である。
【図１７】同実施の形態に係る移動昇降式足場の調整機構を示す拡大斜視図である。
【図１８】同実施の形態に係る移動昇降式足場の補助部の他の例を示す単品平面図である。
【図１９】同実施の形態に係る移動昇降式足場の補助部の他の例を示す単品正面図である。
【発明を実施するための形態】
【００１８】
以下、この発明の実施の形態について説明する。
【００１９】
図１〜図１７には、この発明の実施の形態を示す。
【００２０】
この実施の形態の移動昇降式足場１０は、図１〜図４に示すように、ガイドマスト２０と、駆動部３０と、作業用デッキ４０と、補助部５０と、繋合せ部６０と、足場部７０とを有して構成されている。また、この実施の形態では、２つのガイドマスト２０にそれぞれ駆動部３０が取り付けられ、この駆動部３０同士に掛け渡すように作業用デッキ４０が形成されている。また、２つのガイドマスト２０における作業用デッキ４０上の箇所には、それぞれ補助部５０が取り付けられている。この補助部５０同士は、繋合せ部６０で繋がれており、作業用デッキ４０と補助部５０と繋合せ部６０をベースにして、作業用デッキ４０の上方に当該作業用デッキ４０と共に昇降移動する足場部７０を有している。
【００２１】
このうち、この実施の形態のガイドマスト２０は、建物等の構造物Ｋ（図２参照）に沿って略垂直方向に設置されるようになっており、ここでは所定の間隔を空けて２本以上設置されている。また、図１０〜図１６に示すように、ガイドマスト２０は、複数の棒状部材２５を組んで略三角柱形状に形成されており、図２，図３に示すように、構造物の外壁に接続する壁つなぎ部２１を有している。この壁つなぎ部２１は、複数本のステー２２を有しており、これらを介して外壁に固定されている。なお、外壁の形状が複雑な場合には、油圧等で伸び縮みするバックル式壁つなぎ材等を使用してガイドマスト２０を外壁に取り付けるようになっていても良い。
【００２２】
また、この実施の形態では、図４に示すように、２つのガイドマスト２０のそれぞれに駆動部３０が取り付けられている。この駆動部３０は、フレーム３１と、モータ（図示省略）と、ガイドマスト２０の上下方向に沿って設けられたラック２３に歯合するピニオンギア３２（図１３参照）とを有しており、モータの駆動力でピニオンギア３２を回転させ、このピニオンギア３２とラック２３とが歯合することでガイドマスト２０に対して駆動部３０を上下動させるように構成されている。また、フレーム３１には、後述する補助部４０と同様のガイドローラ（図示省略）が設けられており、このガイドローラによって、ガイドマスト２０に対してスムーズに上下動可能となっている。
【００２３】
また、駆動部３０のフレーム３０の上部には、作業用デッキ４０が設けられている。この実施の形態では、作業用デッキ４０は２つのガイドマスト２０にそれぞれ取り付けられた駆動部３０に掛け渡すように配置されている。また、この実施の形態では、ガイドマスト２０同士の外側にも、作業用デッキ４０が所定長さ延設されるように構成されている。この作業用デッキ４０は、２つの駆動部３０の上下動によってガイドマスト２０に沿って上下動するようになっている。
【００２４】
また、この実施の形態では、２つのガイドマスト２０における作業用デッキ４０上の位置にそれぞれ、図５〜図９に示すような補助部５０が取り付けられている。この補助部５０は、本体部５３と当該本体部５３の上部位置から細長形状に横方向に延びる延長部５２とを有しており、図１２に示すように、作業用デッキ４０にボルト等で固定されている。また、それぞれの補助部５０の上方には、さらに補助部５０が２つずつ配置されている。すなわち、作業用デッキ４０の上に補助部５０が３段設けられており、これらがボルト等で相互に固定されて、一体となっている。
【００２５】
また、この実施の形態では、延長部５２が本体部５３の左右方向にそれぞれ形成されており、同じ段の補助部５０同士は、駆動部３０同士を結ぶ内側方向の延長部５２同士が長細形状の繋合せ部６０で繋がれており、作業用デッキ４０の上に、合計３段の繋合せ部６０が配置されるようになっている。さらに、図１，図２に示すように、作業用デッキ４０と補助部５０と繋合せ部６０をベースにして、作業用デッキ４０の上方に当該作業用デッキ４０と共に昇降移動する足場部７０を有している。ここでは、１組の補助部５０と繋合せ部６０につき、１段の足場部７０を形成しており、合計３段の足場部７０が作業用デッキ４０の上方に形成されている。また、これら足場部７０は補助部５０と繋合せ部６０のみに支持されており、その結果、足場部７０の荷重は補助部５０で受けるように構成されている。そして、駆動部３０の上下動によって、作業用デッキ４０と３段の足場部７０が一体となって上下動するようになっている。
【００２６】
また、補助部５０の本体部５３と延長部５２との間には、延長部５２を支持するための補強部５４が設けられている。この実施の形態では、延長部５２から斜め前方に突出して本体部５３の前方と繋がる前方補強部５４ａと、延長部５２から斜め下方に突出して本体部５３の下方と繋がる下方補強部５４ｂとが形成されている。また、延長部５２と繋合せ部６０は、図３，図４に示すように、それぞれ断面略方形状のパイプ材で構成されている。
【００２７】
また、補助部５０には、図５〜図１６に示すように、複数のガイドローラ５１が設けられており、このガイドローラ５１が、ガイドマスト２０の縦方向に延びる棒状部材２５に対して係合するようになっており、これにより補助部５０がスムーズに上下動可能に構成されると共に補助部５０の荷重をガイドマスト２０で受けるように構成されている。
【００２８】
詳述すると、図１０，図１１，図１４〜図１６に示すように、２つのガイドローラ５１ａで棒状部材２５を前後方向から挟持していることで、補助部５０の前後方向の動きを規制している。この実施の形態では、このような２つのガイドローラ５１ａでの挟持箇所を、１つの棒状部材２５に対して２箇所有しており、２本の棒状部材２５に対して、このような挟持箇所を有している。また、ガイドローラ５１ａが滑らかな凹形状となっているため、２つのガイドローラ５１ａで棒状部材２５を挟持すると、棒状部材２５を包み込むように挟持することができる。これにより、左右方向の動きも規制することができるようになっている。これらにより、補助部５０をガイドマスト２０に保持しつつ、スムーズな上下動が可能となっている。
【００２９】
さらに、補助部５０には、棒状部材２５に対して外側から当接するガイドローラ５１ｂを複数有しており、この実施の形態では、１本の棒状部材２５に対して２つのガイドローラ５１ｂが当接する箇所が２箇所設けられている。このガイドローラ５１ｂは１つの板状部材５１ｃに取り付けられており、その板状部材５１ｃが軸５１ｄを中心として所定範囲回動するように構成されている。これにより、ガイドローラ５１ｂがより棒状部材２５に追随し易くなっている。このようなガイドローラ５１ｂを左右の外側に設置していることで左右方向の動きをより確実に規制するようになっている。また、補助部５０が上下動する際によりスムーズに移動できるようになっている。
【００３０】
また、繋合せ部６０とその両端に繋がっている補助部５０の延長部５２との間の繋ぎ目には、ヒンジ機構等で構成される調整機構８０を有している。この実施の形態では、図１７に示すように、延長部５２と繋合せ部６０とが軸８１で回動するように構成されている。このような調整機構８０によって、上下方向の角度を変えて補助部５０同士の上下位置の差を調整することで、繋合せ部６０と延長部５２の繋ぎ合わせ状態に無理が生じないようにして接続を維持するようになっている。
【００３１】
なお、作業用デッキ４０及び足場部７０は、塗装やブラスト等の作業を行う際には、側面及び天面をビニルやメッシュ素材等の飛散防止養生部材（図示省略）で覆うようになっていても良い。この飛散防止養生部材により、作業用デッキ４０及び足場部７０を覆ってブラスト作業や塗装作業を行うことで、作業を行っても塗料等が飛散せず、環境に配慮しながら効率良く作業を行うことができるものである。
【００３２】
次に、前記した移動昇降式足場１０を用いた構造物Ｋの外壁の補修方法について、図１〜図１７を用いて説明する。ここでは、補修作業として外壁塗装の塗替え作業について説明する。
【００３３】
まず、構造物Ｋに対して、必要な高さのガイドマスト２０を所定間隔を空けて少なくとも２つ設置し、構造物Ｋに固定する。次に、２つのガイドマスト２０にそれぞれ駆動部３０を設置し、２つの駆動部３０に掛け渡すように作業用デッキ４０を取り付ける。その後、ガイドマスト２０の作業用デッキ４０上に、補助部５０を３段ずつ設置し、作業用デッキ４０と補助部５０を全て固定する。
【００３４】
同じ段の補助部５０同士は延長部５２と繋合せ部６０とが連結されており、これらに足場部７０を設置して、作業用デッキ４０とその上に３段の足場部７０が形成されて一体となった移動昇降式足場１０が完成する。このとき、足場部７０は繋合せ部６０と補助部５０と作業用デッキ４０のみに設置されており、その荷重は補助部５０と作業用デッキ４０のみで受けるようになっており、さらに、補助部５０と作業用デッキ４０はガイドローラ５１を介してガイドマスト２０のみに設置されており、その荷重はガイドマスト２０のみで受けるようになっており、ガイドマスト２０が壁つなぎ部２１で構造物Ｋに設置されている。そのため、構造物Ｋに固定されているのはガイドマスト２０のみであり、安定した作業を行うことができると共に、足場部７０及び作業用デッキ４０の上下方向への移動時にいちいち構造物から足場部７０や作業用デッキ４０との固定部を取り外すような場合と比べて、簡単に移動させることができる。その結果、作業効率を向上させることができる。
【００３５】
その後、例えば、構造物Ｋに対して、一番下側又は一番上側から作業を行っていき、当該位置の作業が終了したら駆動部３０を駆動させて、ガイドマスト２０に沿って上方又は下方に作業用デッキ４０と足場部７０を一体に移動させ、次の位置で作業を行う。これを繰り返して、構造物Ｋの上端から下端まで作業を行う。このとき、作業用デッキ４０と３段の足場部７０の合計４段分を一気に移動させるため、作業用デッキ４０の１段分ずつちょこちょこと移動させるよりも効率良く作業を行うことができる。
【００３６】
以上のように、この実施の形態の移動昇降式足場１０によれば、作業用デッキ２１の上方に作業用デッキ４０と共に昇降移動するように構成された足場部７０を有していることで、停止した状態における上下方向の作業範囲として、作業用デッキ４０にその上方の足場部７０を加えることができ、上下方向の作業範囲を増加させることができる。そのため、移動昇降式足場１０を頻繁に上下方向に移動させる必要がなくなり、また、作業範囲を増加させることで移動昇降式足場１０に搭乗する作業員数を多くすることができるため、１つの移動昇降式足場１０での作業効率を向上させることができる。
【００３７】
また、この実施の形態の移動昇降式足場１０によれば、作業用デッキ４０の上方に作業用デッキ４０と共に昇降移動するように構成された足場部７０を複数段有していることで、上下方向の作業範囲をより増加させることができる。そのため、より移動昇降式足場１０を頻繁に上下方向に移動させる必要がなくなり、また、作業範囲をより増加させることで移動昇降式足場１０に搭乗する作業員数をより多くすることができるため、１つの移動昇降式足場１０での作業効率をさらに向上させることができる。
【００３８】
また、この実施の形態の移動昇降式足場１０によれば、足場部７０の荷重を補助部５０で支え、補助部５０の荷重をガイドマスト２０で支えるように構成されているため、足場部７０の荷重を構造物で支えるようなものと比べて作業を行ったり移動したりするときに構造物に対して固定したり取り外したりする箇所が少ない又はゼロにすることができ、移動昇降式足場１０を移動させた後の設置作業と、作業後に再度移動させる際の取外し作業をより効率良く行うことができる。
【００３９】
また、この実施の形態の移動昇降式足場１０によれば、繋合せ部６０がその両端に繋がっている補助部５０同士の上下位置の差を調整して繋ぎ合わせ状態を維持する調整機構８０を有していることで、２つの補助部５０同士の上下方向の位置の誤差を吸収して足場部７０の状態を維持することができ、作業を支障なく行えるようにすることができる。
【００４０】
なお、本発明は、前記した実施の形態のようなものに限らず、他の構成、他の使用状況にも適用できる。
【００４１】
例えば、本発明は、種々の建物についての外壁周りの補修作業に用いることができ、さらに補修作業としては外壁塗替え作業に限らず他の補修作業を行う際に用いることもでき、またさらに補修作業のみならず建物の外壁周りの施工作業や解体作業に用いることもできる。
【００４２】
また、前記した実施の形態では、２つのガイドマスト２０にそれぞれ駆動部３０を設置し、当該２つの駆動部３０に１つの作業用デッキ４０を設置し、その上に補助部５０を介して足場部７０を複数段設ける構成となっていたが、これに限らず、３つ以上のガイドマストにそれぞれ駆動部を設置して当該３つ以上の駆動部に１つの作業用デッキを設置してその上に補助部を介して足場部を設ける構成となっていても良い。
【００４３】
また、作業用デッキは、前記したように作業用デッキが固定デッキのみであるものに限らず、駆動部に設置された固定デッキと当該固定デッキに対してスライド移動するスライドデッキを有する構成となっていても良い。また、駆動部に設置された固定デッキと当該固定デッキに対してスライド移動するスライドデッキと固定デッキに対して垂直方向を軸として回動する回動デッキとを有する構成となっていても良い。さらに、スライドデッキに回動デッキが設置されていたり、回動デッキにスライドデッキが設置されていたり、スライドデッキにスライドデッキが設置されていたり、回動デッキに回動デッキが設置されていたりしても良い。
【００４４】
このようになっていれば、スライド移動するスライドデッキや、回動する回動デッキと等により、種々のデッキ状態を形成することができる。
【００４５】
また、作業手順としては、所定の高さのガイドマストを予め設置する以外に、徐々に繋いで上方に延ばしていき、それに応じて作業用デッキと足場部を上方に移動させるような手順で行っても良い。
【００４６】
また、補助部５０は、前記した実施の形態で記載したものに限らず、適宜の形状のものを使用することができる。例えば、図１８，図１９に示す補助部１５０のように、本体部１５３から横方向に突出した延長部１５２が所謂Ｈ鋼材で構成されていても良い。なお、図示しないが、このときには延長部１５２と繋ぐ繋合せ部も所謂Ｈ鋼材で構成されているのが好ましい。また、図１８，図１９に示すように、延長部１５２から斜め前方に突出して本体部１５３の前方と繋がる前方補強部１５４ａと、延長部１５２から斜め下方に突出して本体部１５３の下方と繋がる下方補強部１５４ｂも、所謂Ｈ鋼材で構成されていても良い。また、図１９に示す下方補強部１５４ｂのように、本体部１５３と繋がる位置をできるだけ下方にして図５に示す下方補強部５４ｂよりも下方位置で繋がるようにすることで、より大きな荷重に耐えられる補助部１５０とすることができる。
【符号の説明】
【００４７】
１０  移動昇降式足場
２０  ガイドマスト
２１  壁つなぎ部
２２  ステー
２３  ラック
２５  棒状部材
３０  駆動部
３１  フレーム
３２  ピニオンギア
４０  作業用デッキ
５０，１５０  補助部
５１，５１ａ，５１ｂ  ガイドローラ
５１ｃ  板状部材
５１ｄ  軸
５２，１５２  延長部
５３，１５３  本体部
５４，１５４  補強部
５４ａ，１５４ａ  前方補強部
５４ｂ，１５４ｂ  下方補強部
６０  繋合せ部
７０  足場部
８０  調整機構
８１  軸
Ｋ  構造物
【図１】
2020033791.tif 000003
【図２】
2020033791.tif 000004
【図３】
2020033791.tif 000005
【図４】
2020033791.tif 000006
【図５】
2020033791.tif 000007
【図６】
2020033791.tif 000008
【図７】
2020033791.tif 000009
【図８】
2020033791.tif 000010
【図９】
2020033791.tif 000011
【図１０】
2020033791.tif 000012
【図１１】
2020033791.tif 000013
【図１２】
2020033791.tif 000014
【図１３】
2020033791.tif 000015
【図１４】
2020033791.tif 000016
【図１５】
2020033791.tif 000017
【図１６】
2020033791.tif 000018
【図１７】
2020033791.tif 000019
【図１８】
2020033791.tif 000020
【図１９】
2020033791.tif 000021